(57)【要約】      （修正有）【課題】専用のリモコン機器を用いることなく、検知部を有する機器の検知信号に基づいて映像機器を操作することが可能な映像機器の操作システムを提供する。【解決手段】操作システム１００（映像機器の操作システム）は、少なくとも１つのセンサ部２６と、センサ部２６に関する端末側センサ部情報２７ａと、ＳＴＢ１への所定の操作時にセンサ部２６によって検知された端末側検知信号とを送信するための無線ＬＡＮ通信部２２とを含む携帯端末２と、端末側センサ部情報２７ａと端末側検知信号とを携帯端末２から受信するための無線ＬＡＮ通信部１３と、制御部１０とを含むＳＴＢ１とを備える。制御部１０は、端末側センサ部情報２７ａからセンサ部２６を把握するとともに、把握したセンサ部２６の端末側検知信号に基づいてＳＴＢ１への所定の操作に対応する動作制御を行うように構成されている。【選択図】図２
2014110540.tif 000002
【特許請求の範囲】
【請求項１】
少なくとも１つの端末側検知部と、前記端末側検知部に関する端末側検知部情報と、所定の操作時に前記端末側検知部によって検知された端末側検知信号とを送信するための端末側通信部とを含む携帯端末と、
前記端末側検知部情報と前記端末側検知信号とを前記携帯端末から受信するための機器側通信部と、制御部とを含む映像機器とを備え、
前記映像機器の制御部は、前記端末側検知部情報から前記端末側検知部を把握するとともに、把握した前記端末側検知部の前記端末側検知信号に基づいて前記映像機器への前記所定の操作に対応する動作制御を行うように構成されている、映像機器の操作システム。
【請求項２】
前記端末側検知部は、前記携帯端末を単独で使用する場合の所定の機能を満たすために設けられており、
前記映像機器の制御部は、前記携帯端末の前記所定の機能を満たすために用いられる前記端末側検知部を前記映像機器への前記所定の操作に対応する動作制御のために流用するように構成されている、請求項１に記載の映像機器の操作システム。
【請求項３】
前記携帯端末は、撮像するための撮像部、前記携帯端末の姿勢を検知するためのジャイロセンサおよび通話するためのマイクのうちの少なくとも１つを前記携帯端末の前記所定の機能を満たすための前記端末側検知部として含んでおり、
前記映像機器の制御部は、前記携帯端末の前記撮像部、前記ジャイロセンサおよび前記マイクの少なくとも１つを用いて、前記映像機器への前記所定の操作に対応する動作制御を行うように構成されている、請求項２に記載の映像機器の操作システム。
【請求項４】
前記携帯端末は、複数の前記端末側検知部を含み、
前記映像機器の制御部は、前記端末側検知部情報から前記複数の端末側検知部のうちの前記映像機器の操作に必要な前記端末側検知部を認識するとともに、前記映像機器の操作に必要な前記端末側検知部の前記端末側検知信号を前記端末側通信部に送信させる一方、前記映像機器の操作に不要な前記端末側検知部の前記端末側検知信号は前記端末側通信部に送信させない旨の信号を前記機器側通信部に送信させる制御を行うように構成されている、請求項１〜３のいずれか１項に記載の映像機器の操作システム。
【請求項５】
前記映像機器の制御部は、前記映像機器の操作に不要な前記端末側検知部の動作を無効にさせる旨の信号を前記機器側通信部に送信させる制御を行うように構成されている、請求項４に記載の映像機器の操作システム。
【請求項６】
前記携帯端末は、複数の前記端末側検知部を含み、
前記複数の端末側検知部に関する前記端末側検知部情報は、前記複数の端末側検知部のリスト状の情報を含む、請求項１〜５のいずれか１項に記載の映像機器の操作システム。
【請求項７】
前記映像機器は、少なくとも１つの機器側検知部をさらに含み、
前記映像機器の制御部は、前記端末側検知部情報と前記機器側検知部に関する機器側検知部情報とを統合して統合検知部情報を作成して、作成した前記統合検知部情報から前記端末側検知部および前記機器側検知部を把握するとともに、把握した前記端末側検知部の前記端末側検知信号および把握した前記機器側検知部によって検知された機器側検知信号の少なくともいずれか一方に基づいて、前記映像機器への前記所定の操作に対応する動作制御を行うように構成されている、請求項１〜６のいずれか１項に記載の映像機器の操作システム。
【請求項８】
前記映像機器の制御部は、前記統合検知部情報から前記端末側検知部の種別と前記機器側検知部の種別とが共通していると判断した場合に、前記端末側検知部の前記端末側検知信号および前記機器側検知部の前記機器側検知信号の双方に基づいて、前記映像機器への前記所定の操作に対応する動作制御を行うように構成されている、請求項７に記載の映像機器の操作システム。
【請求項９】
前記映像機器の制御部は、前記統合検知部情報から前記端末側検知部の種別と前記機器側検知部の種別とが共通していると判断した場合に、前記端末側検知部の前記端末側検知信号および前記機器側検知部の前記機器側検知信号のうち、ユーザにより選択されたいずれか一方に基づいて、前記映像機器への前記所定の操作に対応する動作制御を行うように構成されている、請求項７に記載の映像機器の操作システム。
【請求項１０】
前記映像機器は、前記統合検知部情報を記録可能な記録部をさらに備え、
前記映像機器の制御部は、前記映像機器と前記携帯端末との接続が解除された場合に、作成した前記統合検知部情報を前記記録部から削除させずに保持させることが可能に構成されている、請求項７〜９のいずれか１項に記載の映像機器の操作システム。
【請求項１１】
携帯端末によって操作可能な映像機器であって、
前記携帯端末が有する少なくとも１つの端末側検知部に関する端末側検知部情報と、前記映像機器への所定の操作時に前記端末側検知部によって検知された端末側検知信号とを、前記携帯端末から受信するための機器側通信部と、
前記端末側検知部情報から前記端末側検知部を把握するとともに、把握した前記端末側検知部の前記端末側検知信号に基づいて前記映像機器への前記所定の操作に対応する動作制御を行う制御部とを備える、映像機器。
【発明の詳細な説明】
【技術分野】
【０００１】
この発明は、映像機器の操作システムおよび映像機器に関し、特に、携帯端末によって操作可能な映像機器の操作システムおよび映像機器に関する。
【背景技術】
【０００２】
従来、リモコンなどの機器によって操作可能な映像機器の操作システムなどが知られている（たとえば、特許文献１参照）。
【０００３】
上記特許文献１には、リモコンと、プロジェクタ本体（映像機器）とを備えるプロジェクタが開示されている。リモコンは、傾きを検知して傾き情報（端末側検知信号）を生成する傾き情報生成部（端末側検知部）と、傾き情報に基づいて傾きに応じた操作内容を示す操作情報を生成する操作情報生成部と、傾き情報および操作情報をプロジェクタ本体に送信するための送信部とを含んでいる。また、プロジェクタ本体は、傾き情報に基づいて画像のゆがみを補正する補正部と、操作情報に基づいて画像処理を行う画像生成部とを含んでいる。また、このプロジェクタでは、リモコンがプロジェクタ本体に取り付けられている場合には、リモコンが傾き情報をプロジェクタ本体に送信することによって、補正部が傾き情報に基づいて画像のゆがみを補正するように構成されている。一方、リモコンがプロジェクタ本体から取り外されている場合には、リモコンが傾き情報に基づいて生成された操作情報をプロジェクタ本体に送信することによって、画像生成部が操作情報に基づいて画像の拡大縮小などの画像処理を行うように構成されている。なお、特許文献１には明記されていないが、リモコンはプロジェクタの専用の機器であると考えられる。
【先行技術文献】
【特許文献】
【０００４】
【特許文献１】特開２０１０−１２８８７４号公報
【発明の概要】
【発明が解決しようとする課題】
【０００５】
しかしながら、上記特許文献１に記載されたプロジェクタでは、専用のリモコン以外の機器を使用することができないという問題点がある。
【０００６】
この発明は、上記のような課題を解決するためになされたものであり、この発明の１つの目的は、専用のリモコン機器を用いることなく、検知部を有する機器の検知信号に基づいて映像機器を操作することが可能な映像機器の操作システムおよび映像機器を提供することである。
【課題を解決するための手段】
【０００７】
この発明の第１の局面による映像機器の操作システムは、少なくとも１つの端末側検知部と、端末側検知部に関する端末側検知部情報と、所定の操作時に端末側検知部によって検知された端末側検知信号とを送信するための端末側通信部とを含む携帯端末と、端末側検知部情報と端末側検知信号とを携帯端末から受信するための機器側通信部と、制御部とを含む映像機器とを備え、映像機器の制御部は、端末側検知部情報から端末側検知部を把握するとともに、把握した端末側検知部の端末側検知信号に基づいて映像機器への所定の操作に対応する動作制御を行うように構成されている。
【０００８】
この発明の第１の局面による映像機器の操作システムでは、上記のように、映像機器の制御部が、端末側検知部情報から端末側検知部を把握するとともに、把握した端末側検知部の端末側検知信号に基づいて映像機器への所定の操作に対応する動作制御を行うことによって、携帯端末における端末側検知部の端末側検知信号を映像機器の制御部によって予め把握しておくことができるので、映像機器の制御部に携帯端末から送信される端末側検知信号の内容を正しく認識させて、映像機器への所定の操作に対応する動作制御を行わせることができる。これにより、専用のリモコン機器を用いることなく、端末側検知部を有する携帯端末の端末側検知信号に基づいて映像機器を操作することができる。
【０００９】
上記第１の局面による映像機器の操作システムにおいて、好ましくは、端末側検知部は、携帯端末を単独で使用する場合の所定の機能を満たすために設けられており、映像機器の制御部は、携帯端末の所定の機能を満たすために用いられる端末側検知部を映像機器への所定の操作に対応する動作制御のために流用するように構成されている。このように構成すれば、単独でも使用可能な携帯端末に対して、映像機器への所定の操作を行う機能を付加することができるので、本発明の映像機器の操作システムを一般的（汎用的）な携帯端末を用いて容易に構築することができる。
【００１０】
この場合、好ましくは、携帯端末は、撮像するための撮像部、携帯端末の姿勢を検知するためのジャイロセンサおよび通話するためのマイクのうちの少なくとも１つを携帯端末の所定の機能を満たすための端末側検知部として含んでおり、映像機器の制御部は、携帯端末の撮像部、ジャイロセンサおよびマイクの少なくとも１つを用いて、映像機器への所定の操作に対応する動作制御を行うように構成されている。このように構成すれば、単独でも使用可能な携帯端末に対して、撮像部、ジャイロセンサおよびマイクの少なくとも１つを用いて映像機器への所定の操作を行う機能を付加することができる。
【００１１】
上記第１の局面による映像機器の操作システムにおいて、好ましくは、携帯端末は、複数の端末側検知部を含み、映像機器の制御部は、端末側検知部情報から複数の端末側検知部のうちの映像機器の操作に必要な端末側検知部を認識するとともに、映像機器の操作に必要な端末側検知部の端末側検知信号を端末側通信部に送信させる一方、映像機器の操作に不要な端末側検知部の端末側検知信号は端末側通信部に送信させない旨の信号を機器側通信部に送信させる制御を行うように構成されている。このように構成すれば、映像機器の操作に必要な端末側検知信号だけが携帯端末から映像機器に送信されるので、携帯端末と映像機器との間の通信量が増大することを抑制することができる。
【００１２】
この場合、好ましくは、映像機器の制御部は、映像機器の操作に不要な端末側検知部の動作を無効にさせる旨の信号を機器側通信部に送信させる制御を行うように構成されている。このように構成すれば、映像機器の操作に不要な端末側検知部が無効にされるので、不要な端末側検知部の動作を停止させることができる。これにより、バッテリにより駆動されるために消費電力の増大が大きな問題となる携帯端末において、消費電力が増大することを抑制することができる。
【００１３】
上記第１の局面による映像機器の操作システムにおいて、好ましくは、携帯端末は、複数の端末側検知部を含み、複数の端末側検知部に関する端末側検知部情報は、複数の端末側検知部のリスト状の情報を含む。このように構成すれば、複数の端末側検知部のリスト状の情報を含む端末側検知部情報に基づいて、容易に、映像機器の制御部に端末側検知部を予め把握させることができる。
【００１４】
上記第１の局面による映像機器の操作システムにおいて、好ましくは、映像機器は、少なくとも１つの機器側検知部をさらに含み、映像機器の制御部は、端末側検知部情報と機器側検知部に関する機器側検知部情報とを統合して統合検知部情報を作成して、作成した統合検知部情報から端末側検知部および機器側検知部を把握するとともに、把握した端末側検知部の端末側検知信号および把握した機器側検知部によって検知された機器側検知信号の少なくともいずれか一方に基づいて、映像機器への所定の操作に対応する動作制御を行うように構成されている。このように構成すれば、映像機器の制御部により、携帯端末の端末側検知部のみならず映像機器の機器側検知部も把握されるので、携帯端末の端末側検知部だけが把握される場合よりも、端末側検知信号のみならず機器側検知信号も含めたより多くの検知信号に基づく動作制御を映像機器に行わせることができる。
【００１５】
この場合、好ましくは、映像機器の制御部は、統合検知部情報から端末側検知部の種別と機器側検知部の種別とが共通していると判断した場合に、端末側検知部の端末側検知信号および機器側検知部の機器側検知信号の双方に基づいて、映像機器への所定の操作に対応する動作制御を行うように構成されている。このように構成すれば、携帯端末および映像機器の双方を用いてユーザに映像機器への所定の操作を行わせることができるので、ユーザに携帯端末および映像機器のうち、操作が容易な機器を用いて映像機器への所定の操作を行わせることができる。これにより、本発明の映像機器の操作システムの利便性を向上させることができる。
【００１６】
上記統合検知部情報を作成する映像機器の操作システムにおいて、好ましくは、映像機器の制御部は、統合検知部情報から端末側検知部の種別と機器側検知部の種別とが共通していると判断した場合に、端末側検知部の端末側検知信号および機器側検知部の機器側検知信号のうち、ユーザにより選択されたいずれか一方に基づいて、映像機器への所定の操作に対応する動作制御を行うように構成されている。このように構成すれば、ユーザに選択されない検知部の検知信号は用いられないので、ユーザに選択されていない検知部からの検知信号が出力されることを抑制することができる。これにより、ユーザの意図しない操作が映像機器において行われることを回避することができる。
【００１７】
上記統合検知部情報を作成する映像機器の操作システムにおいて、好ましくは、映像機器は、統合検知部情報を記録可能な記録部をさらに備え、映像機器の制御部は、映像機器と携帯端末との接続が解除された場合に、作成した統合検知部情報を記録部から削除させずに保持させることが可能に構成されている。このように構成すれば、映像機器と携帯端末とが再度接続された際に、統合検知部情報を新たに作成し直す必要がないので、より迅速に操作システムの運用を開始させることができる。
【００１８】
この発明の第２の局面による映像機器は、携帯端末によって操作可能な映像機器であって、携帯端末が有する少なくとも１つの端末側検知部に関する端末側検知部情報と、映像機器への所定の操作時に端末側検知部によって検知された端末側検知信号とを、携帯端末から受信するための機器側通信部と、端末側検知部情報から端末側検知部を把握するとともに、把握した端末側検知部の端末側検知信号に基づいて映像機器への所定の操作に対応する動作制御を行う制御部とを備える。
【００１９】
この発明の第２の局面による映像機器では、上記のように、制御部が、端末側検知部情報から端末側検知部を把握するとともに、把握した端末側検知部の端末側検知信号に基づいて映像機器への所定の操作に対応する動作制御を行うことによって、携帯端末における端末側検知部の端末側検知信号を制御部によって予め把握しておくことができるので、制御部に携帯端末から送信される端末側検知信号の内容を正しく認識させて、映像機器への所定の操作に対応する動作制御を行わせることができる。これにより、専用のリモコン機器を用いることなく、端末側検知部を有する携帯端末の端末側検知信号に基づいて映像機器を操作することができる。
【発明の効果】
【００２０】
本発明によれば、上記のように、専用のリモコン機器を用いることなく、端末側検知部を有する携帯端末の端末側検知信号に基づいて映像機器を操作することができる。
【図面の簡単な説明】
【００２１】
【図１】本発明の第１実施形態による操作システムを示した全体図である。
【図２】本発明の第１実施形態による操作システムの制御構成を示したブロック図である。
【図３】本発明の第１実施形態による操作システムのＳＴＢ側センサ部情報を示した図である。
【図４】本発明の第１実施形態による操作システムの端末側センサ部情報を示した図である。
【図５】本発明の第１実施形態による操作システムの統合センサ部情報を示した図である。
【図６】本発明の第１実施形態による操作システムにおいて、ＳＴＢと携帯端末との接続時におけるＳＴＢの制御部および携帯端末の制御部の処理フローを示した図である。
【図７】本発明の第１実施形態による操作システムにおいて、ＳＴＢと携帯端末との接続時のセンサ部情報の書き換え処理におけるＳＴＢの制御部の処理フローを示した図である。
【図８】本発明の第１実施形態による操作システムにおいて、ＳＴＢの操作時におけるＳＴＢの制御部および携帯端末の制御部の処理フローを示した図である。
【図９】本発明の第１実施形態による操作システムにおいて、ＳＴＢと携帯端末との切断時のセンサ部情報の書き換え処理におけるＳＴＢの制御部の処理フローを示した図である。
【図１０】本発明の第２実施形態による操作システムにおいて、ＳＴＢと携帯端末との接続時のセンサ部情報の書き換え処理におけるＳＴＢの制御部の処理フローを示した図である。
【図１１】本発明の第２実施形態による操作システムにおいて、接続時における書換選択画面を示した図である。
【図１２】本発明の第２実施形態による操作システムにおいて、ＳＴＢと携帯端末との切断時のセンサ部情報の書き換え処理におけるＳＴＢの制御部の処理フローを示した図である。
【図１３】本発明の第２実施形態による操作システムにおいて、切断時における書換選択画面を示した図である。
【図１４】本発明の第３実施形態による操作システムにおいて、ＳＴＢと携帯端末との接続時のセンサ部情報の書き換え処理におけるＳＴＢの制御部の処理フローを示した図である。
【図１５】本発明の第３実施形態による操作システムにおいて、接続時におけるセンサ部選択画面を示した図である。
【図１６】本発明の第３実施形態による操作システムにおいて、ＳＴＢのカメラが選択された際の統合センサ部情報を示した図である。
【図１７】本発明の第３実施形態による操作システムにおいて、携帯端末のカメラが選択された際の統合センサ部情報を示した図である。
【発明を実施するための形態】
【００２２】
以下、本発明の実施形態を図面に基づいて説明する。
【００２３】
（第１実施形態）
まず、図１〜図５を参照して、本発明の第１実施形態による操作システム１００の構造について説明する。なお、操作システム１００は、本発明の「映像機器の操作システム」の一例である。
【００２４】
本発明の第１実施形態による操作システム１００は、図１に示すように、ＳＴＢ（セットトップボックス）１と、ＳＴＢ１を操作可能な機器操作アプリケーションを有する携帯端末２とを備えている。ＳＴＢ１には、映像および音声を出力可能な表示装置３が接続されている。また、ＳＴＢ１と表示装置３とは、屋内などに固定的に備え付けられている一方、携帯端末２は、ユーザ４に把持された状態で持ち運びが可能に構成されている。また、携帯端末２は、図示しないバッテリを有しており、ユーザ４に持ち運ばれた状態で駆動可能に構成されている。なお、ＳＴＢ１は、本発明の「映像機器」の一例である。
【００２５】
ＳＴＢ１は、図２に示すように、制御部１０と、チューナ部１１と、ＡＶ制御部１２と、無線ＬＡＮ通信部１３と、操作部１４と、センサ部１５と、メモリ部１６とを備えている。なお、無線ＬＡＮ通信部１３、センサ部１５およびメモリ部１６は、それぞれ、本発明の「機器側通信部」、「機器側検知部」および「記録部」の一例である。
【００２６】
制御部１０は、ＣＰＵからなり、メモリ部１６に記録されたＯＳ（オペレーティングシステム）やアプリケーションを実行することによりＳＴＢ１の動作制御を担う。チューナ部１１は、テレビジョン放送、有線放送および衛星放送などを受信する機能を有している。ＡＶ制御部１２は、テレビジョン放送などの映像および音声を表示装置３に送信する機能を有している。
【００２７】
なお、表示装置３（図１参照）には、レースゲームのゲーム画面３ａ（図１参照）が表示されている。無線ＬＡＮ通信部１３は、無線ルータ５と無線接続可能に構成されている。操作部１４は、タッチパネルや赤外線リモコンおよび赤外線受信部などの図示しないインターフェースを備えており、ユーザ４（図１参照）がＳＴＢ１を操作するために設けられている。
【００２８】
センサ部１５は、所定の情報を検知して電気的な検知信号に変換する機能を有している。なお、ＳＴＢ１は、センサ部１５として、ＳＴＢ１の周囲の光を検知（受光）して画像信号に変換する撮像機能を有するカメラ１５ａを有している。なお、カメラ１５ａからの画像信号は、本発明の「機器側検知信号」の一例である。
【００２９】
メモリ部１６は、ＯＳなどが実行される際に用いられる制御上のパラメータを一時的に保存する作業用メモリとして用いられる。また、メモリ部１６には、ＯＳおよび複数のアプリケーションが格納されている。さらに、メモリ部１６には、ＳＴＢ側センサ部情報１６ａか、または、統合センサ部情報１６ｂのいずれか一方がセンサ部情報として記録されている。なお、ＳＴＢ側センサ部情報１６ａおよび統合センサ部情報１６ｂは、それぞれ、本発明の「機器側検知部情報」および「統合検知部情報」の一例である。
【００３０】
携帯端末２は、図２に示すように、制御部２０と、３Ｇ通信部２１と、無線ＬＡＮ通信部２２と、表示部２３と、タッチパネル２４と、スピーカ部２５と、センサ部２６と、メモリ部２７とを備えている。なお、無線ＬＡＮ通信部２２およびセンサ部２６は、それぞれ、本発明の「端末側通信部」および「端末側検知部」の一例である。
【００３１】
制御部２０は、ＣＰＵからなり、メモリ部２７に記録されたＯＳやアプリケーションを実行することにより携帯端末２の動作制御を担う。３Ｇ通信部２１は、３Ｇ回線を用いて、他の携帯端末などとの通話が可能なように構成されている。無線ＬＡＮ通信部２２は、無線ルータ５と無線接続可能に構成されている。表示部２３は、操作画面などの映像を表示可能に構成されている。タッチパネル２４は、表示部２３上に配置されるとともに、表示部２３に表示された操作画面に基づいてユーザ４（図１参照）により押下等が行われることによって、携帯端末２がユーザ４に操作されるように構成されている。スピーカ部２５は、通話の際などに音声を出力する機能を有している。
【００３２】
また、携帯端末２は、センサ部２６として、携帯端末２の周囲の光を検知（受光）して画像信号に変換する撮像機能を有するカメラ２６ａと、携帯端末２の姿勢を検知して傾き信号に変換する機能を有するジャイロセンサ２６ｂと、携帯端末２の周辺の音を検知（録音）して音信号に変換する機能を有するマイク２６ｃとを有している。つまり、携帯端末２は、センサ部２６として、ＳＴＢ１のカメラ１５ａと種別が共通するカメラ２６ａを有している。なお、カメラ２６ａは、本発明の「撮像部」の一例である、また、カメラ２６ａからの画像信号、ジャイロセンサ２６ｂからの傾き信号およびマイク２６ｃからの音信号は、本発明の「端末側検知信号」の一例である。
【００３３】
また、センサ部２６は、携帯端末２を単独で使用する場合の所定の機能を満たすために設けられている。具体的には、携帯端末２は、カメラ２６ａからの画像信号に基づいて、表示部２３に壁紙として撮像した画像を表示する機能などを有している。また、携帯端末２は、ジャイロセンサ２６ｂからの傾き信号に基づいて、表示部２３に表示される画像の上下方向と左右方向とを切り替える機能などを有している。また、携帯端末２は、マイク２６ｃからの音信号に基づいて、３Ｇ通信部２１を介して通話を行う機能を有している。
【００３４】
メモリ部２７は、ＯＳなどが実行される際に用いられる制御上のパラメータを一時的に保存する作業用メモリとして用いられる。また、メモリ部２７には、ＯＳおよび複数のアプリケーションと、機器操作アプリケーションと、端末側センサ部情報２７ａとが記憶されている。この機器操作アプリケーションは、カメラ２６ａからの画像信号、ジャイロセンサ２６ｂからの傾き信号およびマイク２６ｃからの音信号に基づいてＳＴＢ１を操作するためのアプリケーションである。なお、端末側センサ部情報２７ａは、本発明の「端末側検知部情報」の一例である。
【００３５】
また、ＳＴＢ１のメモリ部１６に記録されたＳＴＢ側センサ部情報１６ａには、図３に示すように、ＳＴＢ１（図２参照）がカメラ１５ａ（図２参照）を有することが記録されている。また、携帯端末２のメモリ部２７に記録された端末側センサ部情報２７ａには、図４に示すように、携帯端末２（図２参照）がカメラ２６ａ（図２参照）、ジャイロセンサ２６ｂ（図２参照）およびマイク２６ｃ（図２参照）を有することがリスト状に記録されている。そして、統合センサ部情報１６ｂには、図５に示すように、ＳＴＢ１のセンサ部１５（図２参照）と携帯端末２のセンサ部２６（図２参照）とが統合されることによって、ＳＴＢ１への操作で用いられることが可能なセンサ部として、カメラ、ジャイロセンサおよびマイクを有することがリスト状に記録されている。
【００３６】
また、図２に示すように、ＳＴＢ１の無線ＬＡＮ通信部１３と、携帯端末２の無線ＬＡＮ通信部２２とは、共に無線ルータ５のローカルエリアネットワーク（ＬＡＮ）内に含まれている。これにより、無線ＬＡＮ通信部１３と、携帯端末２の無線ＬＡＮ通信部２２とは、信号および情報の送受信を行うことが可能に構成されている。つまり、無線ＬＡＮ通信部２２は、端末側センサ部情報２７ａ、カメラ２６ａからの画像信号、ジャイロセンサ２６ｂからの傾き信号およびマイク２６ｃからの音信号をＳＴＢ１に送信可能に構成されている。また、無線ＬＡＮ通信部１３は、端末側センサ部情報２７ａ、画像信号、傾き信号および音信号を携帯端末２から受信可能に構成されている。
【００３７】
また、無線ルータ５は、ワイドエリアネットワーク（ＷＡＮ）を介して、サーバ６と接続されている。このサーバ６の記録部６ａには、機器操作アプリケーションや、センサ部１５および２６を用いて操作されるアプリケーションなどが格納されている。そして、ＳＴＢ１は、サーバ６からアプリケーションを取得してメモリ部１６に記録するとともに、取得したアプリケーションを実行可能に構成されている。また、携帯端末２は、サーバ６から少なくとも機器操作アプリケーションなどを取得してメモリ部２７に記録するとともに、取得した機器操作アプリケーションなどを実行可能に構成されている。なお、機器操作アプリケーションなどのアプリケーションは、ＳＴＢ１のメモリ部１６または携帯端末２のメモリ部２７に予め記録されていてもよい。
【００３８】
ここで、第１実施形態では、携帯端末２において機器操作アプリケーションが実行されることに基づいて、ＳＴＢ１の制御部１０が、端末側センサ部情報２７ａから携帯端末２のセンサ部２６として、カメラ２６ａ、ジャイロセンサ２６ｂおよびマイク２６ｃを携帯端末２が有していることを把握する。そして、制御部１０は、携帯端末２のセンサ部２６を流用することにより、把握したカメラ２６ａからの画像信号、把握したジャイロセンサ２６ｂからの傾き信号および把握したマイク２６ｃからの音信号に基づいて、ＳＴＢ１で実行されるアプリケーションへの所定の操作に対応する動作制御を行うように構成されている。これにより、ＳＴＢ１にカメラ、ジャイロセンサおよびマイクを設けることなく、携帯端末２のセンサ部２６を流用して、ＳＴＢ１にカメラ、ジャイロセンサおよびマイクの各機能を補うことが可能に構成されている。なお、具体的な制御処理に関しては後述する。
【００３９】
次に、図２〜図７を参照して、ＳＴＢ１と携帯端末２との接続時におけるＳＴＢ１の制御処理フローおよび携帯端末２の制御処理フローについて説明する。
【００４０】
まず、ＳＴＢ１（図２参照）では、ＯＳまたはアプリケーションが実行されている。また、ＳＴＢ１のメモリ部１６（図２参照）には、ＳＴＢ側センサ部情報１６ａ（図３参照）が記録されている一方、統合センサ部情報１６ｂ（図５参照）は記録されていない。この状態から、図６に示すように、ステップＳ１において、携帯端末２（図２参照）の制御部２０（図２参照）により、携帯端末２において機器操作アプリケーションが起動されたか否かが判断されるとともに、機器操作アプリケーションが起動されたと判断されるまでこの判断が繰り返される。
【００４１】
機器操作アプリケーションが起動されたと判断された場合には、ステップＳ２において、制御部２０により、無線ルータ５（図２参照）のローカルエリアネットワーク（ＬＡＮ）内に含まれる通信可能な機器を探索するための探索信号が無線ＬＡＮ通信部２２（図２参照）からＳＴＢ１に対して送信される。
【００４２】
また、ＳＴＢ１側におけるステップＳ１１において、ＳＴＢ１の制御部１０（図２参照）により、探索信号を受信したか否かが判断されるとともに、探索信号を受信したと判断されるまでこの判断が繰り返される。探索信号を受信したと判断された場合には、ステップＳ１２において、制御部１０により、探索信号に対応する応答信号が携帯端末２に対して無線ＬＡＮ通信部１３（図２参照）から送信される。
【００４３】
そして、携帯端末２側におけるステップＳ３では、制御部２０により、ＳＴＢ１からの応答信号を受信したか否かが判断されるとともに、応答信号を受信したと判断されるまでこの判断が繰り返される。応答信号を受信していないと判断された場合には、制御部２０により、機器操作アプリケーションにおいて操作可能な機器がないと判断されて、接続時における携帯端末２の制御処理フローが終了される。
【００４４】
また、ステップＳ３において、応答信号を受信したと判断された場合には、携帯端末２側におけるステップＳ４において、制御部２０により、ＳＴＢ１と携帯端末２との接続状態が確立したと判断されて、メモリ部２７（図２参照）の端末側センサ部情報２７ａ（図４参照）がＳＴＢ１に対して送信される。これにより、接続時における携帯端末２の制御処理フローが終了される。
【００４５】
また、ＳＴＢ１側のステップＳ１３では、制御部１０により、端末側センサ部情報２７ａを携帯端末２から受信したか否かが判断されるとともに、端末側センサ部情報２７ａを受信したと判断されるまでこの判断が繰り返される。端末側センサ部情報２７ａを受信したと判断された場合には、ステップＳ１４に移行する。ステップＳ１４では、制御部１０により、図７に示す接続時におけるセンサ部情報の書き換え処理が行われる。
【００４６】
このステップＳ１４におけるセンサ部情報の書き換え処理では、図７に示すように、まず、ステップＳ２１において、制御部１０により、携帯端末２から受信した端末側センサ部情報２７ａと、メモリ部１６のＳＴＢ側センサ部情報１６ａとが統合されて、統合センサ部情報１６ｂ（図５参照）が作成される。具体的には、端末側センサ部情報２７ａから、携帯端末２がカメラ２６ａ、ジャイロセンサ２６ｂおよびマイク２６ｃを有する旨が把握されるとともに、ＳＴＢ側センサ部情報１６ａから、ＳＴＢ１がカメラ１５ａを有する旨が把握される。そして、ＳＴＢ１のセンサ部１５と携帯端末２のセンサ部２６とが統合されて、ＳＴＢ１への操作で用いられることが可能なセンサ部として、カメラ、ジャイロセンサおよびマイクを有する旨が記録された統合センサ部情報１６ｂが作成される。
【００４７】
その後、ステップＳ２２において、制御部１０により、作成された統合センサ部情報１６ｂがメモリ部１６に記録される。そして、接続時におけるセンサ部情報の書き換え処理（ステップＳ１４）が終了されて、接続時におけるＳＴＢ１の制御処理フロー（図６参照）が終了される。
【００４８】
次に、図１〜図３、図５、図８および図９を参照して、操作時におけるＳＴＢ１の制御処理フローおよび携帯端末２の制御処理フローについて説明する。
【００４９】
まず、図８に示すように、ステップＳ３１において、ＳＴＢ１（図２参照）の制御部１０（図２参照）により、現在ＳＴＢ１において実行されているＯＳまたはアプリケーションにおいて使用されるセンサ部が何であるかが統合センサ部情報１６ｂ（図５参照）に基づいて把握される。そして、把握されたセンサ部に関する使用センサ部情報が携帯端末２（図２参照）に送信される。なお、ＳＴＢ１のカメラ１５ａ（図２参照）が使用される場合には、カメラ１５ａが有効に設定されて、ＳＴＢ１の周囲の光が検知されて画像信号が取得可能な状態になる。
【００５０】
ここで、カメラ、ジャイロセンサおよびマイクのいずれも使用されない場合には、携帯端末２のセンサ部２６（カメラ２６ａ、ジャイロセンサ２６ｂおよびマイク２６ｃ、図２参照）のいずれも使用しない旨の使用センサ部情報が携帯端末２に送信される。また、使用されないセンサ部２６に対しては、制御部１０により、センサ部２６の動作を無効にする旨の命令信号も使用センサ部情報に含めた形で送信される。
【００５１】
また、携帯端末２側のステップＳ４１では、携帯端末２の制御部２０（図２参照）により、使用センサ部情報を受信したか否かが判断される。使用センサ部情報を受信していないと判断された場合には、ステップＳ４５に進む。使用センサ部情報を受信したと判断された場合には、ステップＳ４２において、制御部２０により、使用センサ部情報に基づいて、使用されるセンサ部２６の動作が有効に設定されるとともに、ステップＳ４３において、有効に設定されたセンサ部２６についてメモリ部２７（図２参照）に記録される。
【００５２】
これにより、有効に設定されたセンサ部２６から端末側検知信号が取得可能な状態になる。つまり、カメラ２６ａの使用が有効になった場合には、携帯端末２の周囲の光が検知されて画像信号が取得可能な状態になる。なお、カメラ２６ａの使用が有効になった場合には、ＳＴＢ１のカメラ１５ａも同時に有効にされる。また、ジャイロセンサ２６ｂの使用が有効になった場合には、携帯端末２の傾きが検知されて傾き信号が取得可能な状態になる。また、マイク２６ｃの使用が有効になった場合には、携帯端末２の周辺の音が検知（録音）されて音信号が取得可能な状態になる。
【００５３】
一方、ステップＳ４４では、制御部２０により、使用センサ部情報に基づいて、使用されないセンサ部２６の動作が無効に設定されて停止される。これにより、無効と設定されたセンサ部２６からは端末側検知信号が取得されない。
【００５４】
そして、ステップＳ４５では、制御部２０により、有効に設定されたセンサ部２６から端末側検知信号（画像信号、傾き信号または音信号）を受け付けたか否かが判断される。端末側検知信号を受け付けていないと判断された場合には、ステップＳ４７に進む。端末側検知信号を受け付けたと判断された場合には、ステップＳ４６において、制御部２０により、端末側検知信号が、ＳＴＢ１における何らかの操作に対応する操作情報に変換されずにそのままＳＴＢ１に送信される。なお、無効と設定されたセンサ部２６からは端末側検知信号が取得されないので、制御部２０により、無効と設定されたセンサ部２６からの端末側検知信号はＳＴＢ１に送信されない。
【００５５】
また、ＳＴＢ１側のステップＳ３２では、制御部１０により、携帯端末２からの端末側検知信号を受信したか、または、ＳＴＢ１のカメラ１５ａからの画像信号が受け付けられたか否かが判断される。端末側検知信号またはカメラ１５ａからの画像信号（検知信号）が受け付けられていないと判断された場合には、ステップＳ３３において、制御部１０により、操作部１４（図２参照）においてユーザ４（図１参照）からの操作を受け付けたか否かが判断される。操作部１４において操作を受け付けていないと判断された場合には、ステップＳ３５に進む。
【００５６】
また、ステップＳ３２において、検知信号が受け付けられたと判断された場合、または、ステップＳ３３において、操作部１４において操作を受け付けたと判断された場合には、ステップＳ３４において、制御部１０により、有効に設定されたセンサ部２６からの端末側検知信号、有効に設定されたカメラ１５ａからの画像信号、および、操作部１４における操作に基づいて、ＯＳまたはアプリケーションが操作される。この結果、ＳＴＢ１の制御部１０により、端末側検知信号および画像信号に基づいて、ＳＴＢ１において、ＯＳまたはアプリケーションに対応する動作制御が行われる。
【００５７】
たとえば、ＳＴＢ１において、ジャイロセンサ２６ｂが使用されるレースゲームのアプリケーションが実行されている場合には、使用センサ部情報に基づいて携帯端末２のジャイロセンサ２６ｂが有効に設定され、ジャイロセンサ２６ｂによって検知された傾き信号が携帯端末２からＳＴＢ１にそのまま送信される。そして、制御部１０により、傾き信号に基づいて、レースゲームのアプリケーションにおいてＳＴＢ１への所定の操作に対応する動作制御が行われる。具体的には、図１に示すように、表示装置３のゲーム画面３ａ内に表示された車の画像が、携帯端末２の傾きに対応して方向転換するように表示される。これにより、ジャイロセンサを有しないＳＴＢ１だけでは実行できないレースゲームのアプリケーションを、携帯端末２のジャイロセンサ２６ｂを流用することによって実行することが可能になる。
【００５８】
また、たとえば、ＳＴＢ１において、カメラ１５ａおよび２６ａが使用されるアプリケーションが実行されている場合には、使用センサ部情報に基づいてＳＴＢ１のカメラ１５ａと携帯端末２のカメラ２６ａとが共に有効に設定される。そして、カメラ１５ａからの画像信号が受け付けられるとともに、カメラ２６ａからの画像信号が携帯端末２からそのままＳＴＢ１に送信される。その後、制御部１０により、カメラ１５ａからの画像信号およびカメラ２６ａからの画像信号に基づいて、アプリケーションにおいてＳＴＢ１への所定の操作に対応する動作制御が行われる。
【００５９】
そして、ステップＳ３５において、制御部１０により、ＳＴＢ１において実行されるＯＳまたはアプリケーションが別のＯＳまたはアプリケーションに変更されたか否かが判断される。別のＯＳまたはアプリケーションに変更されていないと判断された場合には、ステップＳ３７に進む。
【００６０】
また、別のＯＳまたはアプリケーションに変更されたと判断された場合には、ステップＳ３６において、制御部１０により、変更されたＯＳまたはアプリケーションにおいて使用されるセンサ部が統合センサ部情報１６ｂに基づいて新たに把握される。そして、新たに把握されたセンサ部に関する使用センサ部情報が再度携帯端末２に送信される。これにより、新たに把握されたセンサ部に関する使用センサ部情報に基づいて、携帯端末２の制御部２０によって、使用されるセンサ部２６の動作が有効に設定されて駆動される一方、使用されないセンサ部２６の動作が無効に設定されて停止される。そしてステップＳ３７に進む。
【００６１】
また、携帯端末２側のステップＳ４７において、制御部２０により、携帯端末２において機器操作アプリケーションが終了されたか否かが判断される。機器操作アプリケーションは終了されていないと判断された場合には、ステップＳ４１に戻る。機器操作アプリケーションが終了されたと判断された場合には、ステップＳ４７において、制御部２０により、ＳＴＢ１と携帯端末２との接続状態を切断（解除）することを通知するための切断信号がＳＴＢ１に送信される。これにより、操作時における携帯端末２の制御処理フローが終了される。
【００６２】
また、ＳＴＢ１側のステップＳ３７において、制御部１０により、切断信号を携帯端末２から受信したか否かが判断される。切断信号を受信していないと判断された場合には、ステップＳ３２に戻る。切断信号を受信したと判断された場合には、ステップＳ３８に移行する。ステップＳ３８では、制御部１０により、図９に示す接続解除（切断）時におけるセンサ部情報の書き換え処理が行われる。
【００６３】
このステップＳ３８におけるセンサ部情報の書き換え処理では、図９に示すように、まず、ステップＳ５１において、制御部１０により、作成された統合センサ部情報１６ｂからＳＴＢ側センサ部情報１６ａ（図３参照）に戻される。つまり、ＳＴＢ１への操作で用いられることが可能なセンサ部として、カメラ、ジャイロセンサおよびマイクを有する旨の統合センサ部情報１６ｂから、カメラを有する旨のＳＴＢセンサ部情報に戻される。その後、ステップＳ５２において、制御部１０により、ＳＴＢセンサ部情報がメモリ部１６に記録される。これにより、切断時におけるセンサ部情報の書き換え処理（ステップＳ３８）が終了されて、操作時におけるＳＴＢ１の制御処理フロー（図８参照）が終了される。
【００６４】
第１実施形態では、上記のように、ＳＴＢ１の制御部１０により、端末側センサ部情報２７ａとＳＴＢ側センサ部情報１６ａとから統合センサ部情報１６ｂが作成されて、携帯端末２のセンサ部２６とＳＴＢ１のセンサ部１５とが把握されるとともに、有効に設定されたセンサ部２６からの端末側検知信号、有効に設定されたカメラ１５ａからの画像信号、および、操作部１４における操作に基づいて、ＳＴＢ１で実行されているＯＳまたはアプリケーションに対応する動作制御が行われる。このように構成することによって、携帯端末２におけるセンサ部２６の端末側検知信号をＳＴＢ１の制御部１０によって予め把握しておくことができるので、制御部１０に携帯端末２から送信される端末側検知信号の内容を正しく認識させて、ＳＴＢ１への所定の操作に対応する動作制御を行わせることができる。これにより、専用のリモコン機器を用いることなく、センサ部２６を有する携帯端末２の端末側検知信号に基づいてＳＴＢ１を操作することができる。また、ＳＴＢ１の制御部１０により、携帯端末２のセンサ部２６のみならずＳＴＢ１のカメラ１５ａも把握されるので、携帯端末２のセンサ部２６だけが把握される場合よりも、端末側検知信号のみならず画像信号も含めたより多くの検知信号に基づく動作制御をＳＴＢ１に行わせることができる。
【００６５】
また、第１実施形態では、上記のように、携帯端末２の制御部２０により、有効に設定されたセンサ部２６（カメラ２６ａ、ジャイロセンサ２６ｂおよびマイク２６ｃ）からの端末側検知信号（画像信号、傾き信号または音信号）がＳＴＢ１に送信され、ＳＴＢ１の制御部１０により、携帯端末２からの端末側検知信号が用いられて、ＯＳまたはアプリケーションが操作される。このように構成することによって、単独でも使用可能な携帯端末２に対して、カメラ２６ａ、ジャイロセンサ２６ｂおよびマイク２６ｃを用いてＳＴＢ１への所定の操作を行う機能を付加することができるので、カメラ２６ａ、ジャイロセンサ２６ｂおよびマイク２６ｃを用いるＳＴＢ１の操作システムを一般的（汎用的）な携帯端末２を用いて容易に構築することができる。
【００６６】
また、第１実施形態では、上記のように、有効に設定されたセンサ部２６からの端末側検知信号はＳＴＢ１に送信される一方、無効と設定されたセンサ部２６からの端末側検知信号はＳＴＢ１に送信されないように携帯端末２の制御部２０に判断させるための使用センサ部情報が、ＳＴＢ１の制御部１０により携帯端末２に送信される。このように構成することによって、ＳＴＢ１の操作に必要な端末側検知信号だけが携帯端末２からＳＴＢ１に送信されるので、携帯端末２とＳＴＢ１との間の通信量が増大することを抑制することができる。
【００６７】
また、第１実施形態では、上記のように、制御部１０により、無効と設定されたセンサ部２６の動作を無効にする旨の命令信号が使用センサ部情報に含めた形で送信されることによって、ＳＴＢ１の操作に不要なセンサ部２６が無効にされるので、不要なセンサ部２６の動作を停止させることができる。これにより、バッテリにより駆動されるために消費電力の増大が大きな問題となる携帯端末２において、消費電力が増大することを抑制することができる。
【００６８】
また、第１実施形態では、上記のように、端末側センサ部情報２７ａに、携帯端末２がカメラ２６ａ、ジャイロセンサ２６ｂおよびマイク２６ｃを有することがリスト状に記録されていることによって、複数のセンサ部２６のリスト状の情報を含む端末側センサ部情報２７ａに基づいて、容易に、ＳＴＢ１の制御部１０にセンサ部２６を予め把握させることができる。
【００６９】
また、第１実施形態では、上記のように、ＳＴＢ１において、カメラ１５ａおよび２６ａが使用されるアプリケーションが実行されている場合には、使用センサ部情報に基づいてＳＴＢ１のカメラ１５ａと携帯端末２のカメラ２６ａとが共に有効に設定され、カメラ１５ａから画像信号が受け付けられるとともに、カメラ２６ａによって検知された画像信号が携帯端末２からそのままＳＴＢ１に送信される。そして、制御部１０により、カメラ１５ａからの画像信号およびカメラ２６ａからの画像信号に基づいて、アプリケーションにおいてＳＴＢ１への所定の操作に対応する動作制御が行われる。このように構成することによって、携帯端末２およびＳＴＢ１の双方を用いてユーザ４にＳＴＢ１への所定の操作を行わせることができるので、ユーザ４に携帯端末２およびＳＴＢ１のうち、操作が容易な機器を用いてＳＴＢ１への所定の操作を行わせることができる。これにより、操作システム１００の利便性を向上させることができる。
【００７０】
また、第１実施形態では、上記のように、制御部２０により、端末側検知信号が、ＳＴＢ１における何らかの操作に対応する操作情報に変換されずにそのままＳＴＢ１に送信されることによって、端末側検知信号に対応するＳＴＢ１での操作内容を携帯端末２において把握させる必要がないので、機器操作アプリケーションのデータ容量を小さくすることができるとともに、制御部２０における制御負担を軽減することができる。
【００７１】
また、第１実施形態では、携帯端末２にジャイロセンサ２６ｂおよびマイク２６ｃを設ける一方、ＳＴＢ１にジャイロセンサおよびマイクを設けないことによって、ユーザ４にＳＴＢ１のジャイロセンサまたはマイクを使用させるために、ＳＴＢ１の設置場所がユーザ４の近傍などに制限されてしまうことを抑制することができる。さらに、ＳＴＢ１にジャイロセンサおよびマイクが設けられないので、ＳＴＢ１が大型化することを抑制することができる。
【００７２】
（第２実施形態）
次に、図１〜図６、図８および図１０〜図１３を参照して、本発明の第２実施形態について説明する。この第２実施形態では、上記第１実施形態とは異なり、ＳＴＢ１のセンサ部情報の書き換えを行うか否かをユーザ４に選択させる場合について説明する。なお、第２実施形態では、ステップＳ１４ａにおける接続時のセンサ部情報の書き換え処理、および、ステップＳ３８ａにおける接続解除（切断）時のセンサ部情報の書き換え処理以外は、上記第１実施形態と同様であるので、その説明を省略する。
【００７３】
まず、図１〜図６、図１０および図１１を参照して、本発明の第２実施形態における接続時におけるセンサ部情報の書き換え処理について説明する。
【００７４】
第２実施形態において、ステップＳ１４ａにおけるセンサ部情報の書き換え処理（図６参照）では、図１０に示すように、まず、ステップＳ６１において、ＳＴＢ１（図２参照）の制御部１０（図２参照）により、携帯端末２（図２参照）から受信した端末側センサ部情報２７ａ（図４参照）とメモリ部１６（図２参照）のＳＴＢ側センサ部情報１６ａ（図３参照）とを統合するか否かをユーザ４（図１参照）に選択させるための書換選択画面３ｂ（図１１参照）が表示装置３（図１１参照）に表示される。この書換選択画面３ｂには、図１１に示すように、携帯端末２のセンサ部２６（図２参照）を有効にするか否かを問うメッセージと、「はい」と記載された選択部分１０３ｂと、「いいえ」と記載された選択部分２０３ｂとが表示されている。そして、書換選択画面３ｂでは、ユーザ４が操作部１４（図２参照）を操作することによって、選択部分１０３ｂおよび選択部分２０３ｂのいずれか一方が選択される。
【００７５】
そして、図１０に示すように、ステップＳ６２において、制御部１０により、選択部分１０３ｂ（図１１参照）が選択されたことにより書き換えが選択されたか否かが判断される。書き換えが選択されたと判断された場合には、上記第１実施形態におけるステップＳ２１およびステップＳ２２と同一の制御処理が、それぞれ、ステップＳ６３およびステップＳ６４において行われる。つまり、制御部１０により、ステップＳ６３において、統合センサ部情報１６ｂ（図５参照）が作成されて、ステップＳ６４において、作成された統合センサ部情報１６ｂがメモリ部１６に記録される。これにより、接続時におけるセンサ部情報の書き換え処理（ステップＳ１４ａ）が終了されて、接続時におけるＳＴＢ１の制御処理フローが終了される。
【００７６】
この結果、ＳＴＢ１の制御部１０により、ユーザ４により書き換えが選択された場合に、端末側センサ部情報２７ａとＳＴＢ側センサ部情報１６ａとから統合センサ部情報１６ｂが作成されて、携帯端末２のセンサ部２６とＳＴＢ１のカメラ１５ａとが把握される。そして、ＳＴＢ１の制御部１０により、有効に設定されたセンサ部２６からの端末側検知信号、有効に設定されたカメラ１５ａからの画像信号、および、操作部１４における操作に基づいて、ＳＴＢ１において、ＯＳまたはアプリケーションに対応する動作制御が行われる。
【００７７】
また、ステップＳ６２において、選択部分２０３ｂ（図１１参照）が選択されたことにより書き換えが選択されなかったと判断された場合には、ステップＳ６５において、制御部１０により、統合センサ部情報１６ｂが作成されずにＳＴＢ側センサ部情報１６ａが保持される。これにより、接続時におけるセンサ部情報の書き換え処理が終了されて、接続時におけるＳＴＢ１の制御処理フローが終了される。
【００７８】
次に、図１〜図６、図８および図１１〜図１３を参照して、本発明の第２実施形態における切断時におけるセンサ部情報の書き換え処理について説明する。
【００７９】
第２実施形態において、ステップＳ３８ａにおけるセンサ部情報の書き換え処理（図８参照）では、図１２に示すように、まず、ステップＳ７１において、ＳＴＢ１（図２参照）の制御部１０（図２参照）により、接続時におけるセンサ部情報の書き換え処理（図１１参照）において、統合センサ部情報１６ｂ（図５参照）が作成されて、メモリ部１６（図２参照）に記録されているか否かが判断される。統合センサ部情報１６ｂが作成されていない（メモリ部１６にＳＴＢ側センサ部情報１６ａ（図３参照）が記録されている）と判断された場合には、統合センサ部情報１６ｂを削除する制御処理を行う必要がないので、切断時におけるセンサ部情報の書き換え処理が終了されて、操作時におけるＳＴＢ１の制御処理フローが終了される。
【００８０】
一方、統合センサ部情報１６ｂが作成されていると判断された場合には、ステップＳ７２において、制御部１０により、図１３に示すように、統合センサ部情報１６ｂからＳＴＢ側センサ部情報１６ａに戻すか否かをユーザ４（図１参照）に選択させるための書換選択画面３ｃが表示装置３に表示される。この書換選択画面３ｃには、統合センサ部情報１６ｂからＳＴＢ側センサ部情報１６ａに戻すか否かを問うメッセージと、「はい」と記載された選択部分１０３ｃと、「いいえ」と記載された選択部分２０３ｃとが表示されている。そして、書換選択画面３ｃでは、ユーザ４が操作部１４（図２参照）を操作することによって、選択部分１０３ｃおよび選択部分２０３ｃのいずれか一方が選択される。
【００８１】
そして、図１２に示すように、ステップＳ７３において、制御部１０により、選択部分１０３ｃ（図１３参照）が選択されたことにより書き換えが選択されたか否かが判断される。書き換えが選択されたと判断された場合には、上記第１実施形態におけるステップＳ５１およびステップＳ５２と同一の制御処理が、それぞれ、ステップＳ７４およびステップＳ７５において行われる。つまり、制御部１０により、ステップＳ７４において、統合センサ部情報１６ｂからＳＴＢ側センサ部情報１６ａに戻されて、ステップＳ７５において、ＳＴＢセンサ部情報１６ａがメモリ部１６に記録される。これにより、切断時におけるセンサ部情報の書き換え処理（ステップＳ３８ａ）が終了されて、操作時におけるＳＴＢ１の制御処理フローが終了される。
【００８２】
また、ステップＳ７３において、選択部分２０３ｃ（図１３参照）が選択されたことにより書き換えが選択されなかったと判断された場合には、ステップＳ７６において、制御部１０により、統合センサ部情報１６ｂがメモリ部１６から削除されずに保持される。これにより、対応するセンサ部を有しない機器がアプリケーションを取得することをサーバ６が許可しないように構成されている場合で、かつ、ＳＴＢ１と携帯端末２とが接続されていない状態であっても、ＳＴＢ１のセンサ部１５では操作不可能なアプリケーションを、携帯端末２のセンサ部２６を有することが記録された統合センサ部情報１６ｂに基づいて、サーバ６から取得する（ダウンロードする）ことが可能になる。その後、切断時におけるセンサ部情報の書き換え処理が終了されて、操作時におけるＳＴＢ１の制御処理フローが終了される。
【００８３】
第２実施形態では、上記のように、ユーザ４により書き換えが選択された場合に、ＳＴＢ１の制御部１０により、統合センサ部情報１６ｂが作成されるとともに、有効に設定されたセンサ部２６からの端末側検知信号などに基づいて、ＯＳまたはアプリケーションに対応する動作制御が行われる。このように構成することによって、専用のリモコン機器を用いることなく、センサ部２６を有する携帯端末２の端末側検知信号に基づいてＳＴＢ１を操作することができる。
【００８４】
また、第２実施形態では、上記のように、書き換えが選択されなかった場合には、制御部１０により、統合センサ部情報１６ｂがメモリ部１６から削除されずに保持されることによって、ＳＴＢ１と携帯端末２とが再度接続された際に、統合センサ部情報１６ｂを新たに作成し直す必要がないので、より迅速に操作システム１００の運用を開始させることができる。
【００８５】
また、第２実施形態では、上記のように、制御部１０により、統合センサ部情報１６ｂがメモリ部１６から削除されずに保持されることによって、ＳＴＢ１のセンサ部１５では操作不可能なアプリケーションを、携帯端末２のセンサ部２６を有することが記録された統合センサ部情報１６ｂに基づいて、サーバ６から取得することができる。なお、第２実施形態のその他の効果は、上記第１実施形態と同様である。
【００８６】
（第３実施形態）
次に、図１〜図４，図６および図１４〜図１７を参照して、本発明の第３実施形態について説明する。この第３実施形態では、上記第１実施形態とは異なり、ＳＴＢ１のセンサ部１５と携帯端末２のセンサ部２６とが共通する場合に、有効にするセンサ部をユーザ４に選択させる場合について説明する。なお、第３実施形態では、ステップＳ１４ｂにおける接続時のセンサ部情報の書き換え処理以外は、第１実施形態と同様であるので、その説明を省略する。
【００８７】
第３実施形態において、ステップＳ１４ｂにおけるセンサ部情報の書き換え処理（図６参照）では、図１４に示すように、まず、ステップＳ８１において、ＳＴＢ１（図２参照）の制御部１０（図２参照）により、携帯端末２（図２参照）から受信した端末側センサ部情報２７ａ（図４参照）から、カメラ２６ａ、ジャイロセンサ２６ｂおよびマイク２６ｃのうちの１つのセンサ部２６（図２参照）の情報が取得される。そして、ステップＳ８２において、制御部１０により、情報を取得した携帯端末２のセンサ部２６と、ＳＴＢ１のセンサ部１５（カメラ１５ａ）とが共通しているか否かが判断される。
【００８８】
携帯端末２のセンサ部２６とＳＴＢ１のカメラ１５ａとが共通していると判断された場合（センサ部２６がカメラ２６ａであった場合）には、ステップＳ８３において、制御部１０により、図１５に示すように、ＳＴＢ１のカメラ１５ａと携帯端末２のカメラ２６ａとのうち、いずれのカメラを使用するについてユーザ４（図１参照）に選択させるためのセンサ部選択画面３ｄが表示装置３に表示される。このセンサ部選択画面３ｄには、ＳＴＢ１のカメラ１５ａと携帯端末２のカメラ２６ａとのうち、いずれのカメラを使用するか否かを問うメッセージと、「ＳＴＢ」と記載された選択部分１０３ｄと、「携帯端末」と記載された選択部分２０３ｄとが表示されている。そして、センサ部選択画面３ｄでは、ユーザ４が操作部１４（図２参照）を操作することによって、選択部分１０３ｄおよび選択部分２０３ｄのいずれか一方が選択される。
【００８９】
そして、図１４に示すように、ステップＳ８４において、制御部１０により、ユーザ４により、ＳＴＢ１のカメラ１５ａと携帯端末２のカメラ２６ａとのうち、ＳＴＢ１のカメラ１５ａを使用すると選択されたか否かが判断される。選択部分１０３ｄ（図１５参照）が選択されたことによりＳＴＢ１のカメラ１５ａが選択されたと判断された場合には、ステップＳ８５において、制御部１０により、ＳＴＢ１のカメラ１５ａを使用するように設定される。
【００９０】
一方、ステップＳ８２において、携帯端末２のセンサ部２６とＳＴＢ１のカメラ１５ａとが共通していないと判断された場合（センサ部２６がジャイロセンサ２６ｂまたはマイク２６ｃであった場合）、および、ステップＳ８４において、選択部分２０３ｄ（図１５参照）が選択されたことにより携帯端末２のカメラ２６ａを使用すると選択された場合には、ステップＳ８６において、制御部１０により、携帯端末２のカメラ２６ａを使用するように設定される。
【００９１】
そして、ステップＳ８７において、制御部１０により、設定内容がメモリ部１６（図２参照）に記録される。その後、ステップＳ８８において、制御部１０により、ＳＴＢ１のカメラ１５ａと共通するか否かについて携帯端末２のセンサ部２６の全てで確認されたか否かが判断される。携帯端末２のセンサ部２６の全てで確認されていないと判断された場合には、ステップＳ８１に戻り、別のセンサ部２６で確認が行われる。
【００９２】
携帯端末２のセンサ部２６の全てで確認されたと判断された場合には、制御部１０により、ステップＳ８９において、メモリ部１６に記録された設定内容とＳＴＢ側センサ部情報１６ａ（図３参照）とに基づき、統合センサ部情報２１６ｂ（図１６参照）または統合センサ部情報３１６ｂ（図１７参照）が作成される。その後、ステップＳ９０において、作成された統合センサ部情報２１６ｂまたは３１６ｂがメモリ部１６に記録される。そして、接続時におけるセンサ部情報の書き換え処理（ステップＳ１４ｂ）が終了されて、接続時におけるＳＴＢ１の制御処理フローが終了される。
【００９３】
これにより、ＳＴＢ１のカメラ１５ａが選択されたと判断された場合には、図１６に示すように、ＳＴＢ１のカメラ１５ａと、携帯端末２のジャイロセンサ２６ｂまたはマイク２６ｃとを使用する一方、携帯端末２のカメラ２６ａは使用しないように統合センサ部情報２１６ｂが作成される。また、携帯端末２のカメラ２６ａが選択されたと判断された場合には、図１７に示すように、携帯端末２のカメラ２６ａ、ジャイロセンサ２６ｂまたはマイク２６ｃを使用する一方、ＳＴＢ１のカメラ１５ａは使用しないように統合センサ部情報３１６ｂが作成される。
【００９４】
この結果、ＳＴＢ１の制御部１０により、端末側センサ部情報２７ａとユーザ４の選択とから統合センサ部情報２１６ｂまたは３１６ｂが作成されて、携帯端末２のセンサ部２６とＳＴＢ１のセンサ部１５とが把握される。そして、ＳＴＢ１の制御部１０により、有効に設定されたセンサ部２６からの端末側検知信号、有効に設定されたカメラ１５ａからの画像信号、および、操作部１４における操作に基づいて、ＳＴＢ１において、ＯＳまたはアプリケーションに対応する動作制御が行われる。
【００９５】
第３実施形態では、上記のように、ＳＴＢ１の制御部１０により、端末側センサ部情報２７ａとＳＴＢ側センサ部情報１６ａとユーザ４の選択とから統合センサ部情報１６ｂが作成されるとともに、有効に設定されたセンサ部２６からの端末側検知信号などに基づいて、ＯＳまたはアプリケーションに対応する動作制御が行われる。このように構成することによって、専用のリモコン機器を用いることなく、センサ部２６を有する携帯端末２の端末側検知信号に基づいてＳＴＢ１を操作することができる。
【００９６】
また、第３実施形態では、上記のように、携帯端末２のカメラ２６ａと、ＳＴＢ１のカメラ１５ａとが共通していると判断された場合には、制御部１０により、ＳＴＢ１のカメラ１５ａと、携帯端末２のカメラ２６ａとのうち、いずれのカメラを使用するについてユーザ４に選択させるように構成する。このように構成することによって、ユーザ４に選択されないセンサ部の検知信号は用いられないので、ユーザ４に選択されていないセンサ部からの検知信号が出力されることを抑制することができる。これにより、ユーザ４の意図しない操作がＳＴＢ１において行われることを回避することができる。なお、第３実施形態のその他の効果は、上記第１実施形態と同様である。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記第１〜第３実施形態では、ＳＴＢ１が１つのセンサ部１５（カメラ１５ａ）を備えるとともに、携帯端末２が３つのセンサ部２６（カメラ２６ａ、ジャイロセンサ２６ｂおよびマイク２６ｃ）を備える例について示したが、本発明はこれに限られない。本発明では、ＳＴＢが備えるセンサ部の数は２つ以上でもよいし、携帯端末が備えるセンサ部の数は１つ、２つ、または、４つ以上でもよい。さらに、ＳＴＢはセンサ部を備えていなくてもよい。
【００９９】
また、上記第１〜第３実施形態では、ＳＴＢ１のセンサ部１５と携帯端末２のセンサ部２６とが共にカメラ１５ａおよび２６ａで種別が共通する例について示したが、本発明はこれに限られない。本発明では、ＳＴＢのセンサ部の種別と携帯端末のセンサ部の種別とは共通していなくてもよい。これにより、ユーザが操作していない側のセンサ部において検知されることに起因して、ユーザの意図しない操作がＳＴＢにおいて行われることを抑制することが可能である。また、ＳＴＢのセンサ部の種別と携帯端末のセンサ部の種別とが２種以上共通してもよいし、カメラ以外のセンサ部の種別が共通していてもよい。
【０１００】
また、上記第１〜第３実施形態では、携帯端末２がセンサ部２６としてのカメラ２６ａ、ジャイロセンサ２６ｂおよびマイク２６ｃを備える例について示したが、本発明はこれに限られない。たとえば、タッチパネル、照度センサ、温度センサ、ＧＰＣ（Ｇｌｏｂａｌ  Ｐｏｓｉｔｉｏｎｉｎｇ  Ｓｙｓｔｅｍ）またはＲＦＩＤ（Ｒａｄｉｏ  Ｆｒｅｑｕｅｎｃｙ  ＩＤｅｎｔｉｆｉｃａｔｉｏｎ）タグなどのセンサ部が、ＳＴＢまたは携帯端末に備えられていてもよい。
【０１０１】
また、上記第２実施形態では、接続時および接続解除（切断）時の双方において、ＳＴＢ１のセンサ部情報の書き換えを行うか否かをユーザ４に選択させる例について示したが、本発明はこれに限られない。本発明では、接続時および切断時のいずれか一方においてのみ、ＳＴＢのセンサ部情報の書き換えを行うか否かをユーザに選択させてもよい。
【０１０２】
また、上記第１〜第３実施形態では、ＳＴＢ１と携帯端末２とが無線ルータ５を介して無線接続される例について示したが、本発明はこれに限られない。本発明では、ＳＴＢと携帯端末とが無線接続以外の方法で接続されていてもよい。たとえば、ＳＴＢと携帯端末とが有線接続されていてもよい。
【０１０３】
また、上記第１〜第３実施形態では、携帯端末２が３Ｇ通信部２１を備える例について示したが、本発明はこれに限られない。本発明では、携帯端末が３Ｇ通信部以外の通信部を備えていてもよい。
【０１０４】
また、上記第１〜第３実施形態では、説明の便宜上、ＳＴＢ１の制御部１０の処理および携帯端末２の制御部２０の処理を制御処理フローに沿って順番に処理を行うフロー駆動型のフローチャートを用いて説明したが、本発明はこれに限られない。本発明では、ＳＴＢの制御部の処理および携帯端末の制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０５】
１  ＳＴＢ（映像機器）
２  携帯端末
４  ユーザ
１０  制御部
１３  無線ＬＡＮ通信部（機器側通信部）
１５  センサ部（機器側検知部）
１６  メモリ部（記録部）
１６ａ  ＳＴＢ側センサ部情報（機器側検知部情報）
１６ｂ、２１６ｂ、３１６ｂ  統合センサ部情報（統合検知部情報）
２２  無線ＬＡＮ通信部（端末側通信部）
２６  センサ部（端末側検知部）
２６ａ  カメラ（撮像部）
２６ｂ  ジャイロセンサ
２６ｃ  マイク
２７ａ  端末側センサ部情報（端末側検知部情報）
１００  操作システム（映像機器の操作システム）
【図１】
2014110540.tif 000003
【図２】
2014110540.tif 000004
【図３】
2014110540.tif 000005
【図４】
2014110540.tif 000006
【図５】
2014110540.tif 000007
【図６】
2014110540.tif 000008
【図７】
2014110540.tif 000009
【図８】
2014110540.tif 000010
【図９】
2014110540.tif 000011
【図１０】
2014110540.tif 000012
【図１１】
2014110540.tif 000013
【図１２】
2014110540.tif 000014
【図１３】
2014110540.tif 000015
【図１４】
2014110540.tif 000016
【図１５】
2014110540.tif 000017
【図１６】
2014110540.tif 000018
【図１７】
2014110540.tif 000019